【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
セルラーネットワーク（１００、２００）の所定のセルに位置するユーザ装置（１０）の許可制御を実行する方法であって、
該セルラーネットワークの許可制御エンティティ（１１１）によって、該ユーザ装置（１０）から送信されたデータを受信するステップであって、該データは、該ユーザ装置（１０）のレシーバ性能を示す、ステップと、
該許可制御エンティティ（１１１）によって、該ユーザ装置（１０）の該レシーバ性能にしたがって、該ユーザ装置（１０）にサービスを提供するために必要な該セルのリソースを決定するステップと
を含み、
要求メッセージが、該レシーバ性能を示す該データと共に、または該データに加えて受信され、該要求メッセージは、無線リソース制御（ＲＲＣ）接続要求メッセージ、セルアップデートメッセージ、測定リポートメッセージおよび初期直接伝送メッセージのうちの少なくとも１つである、方法。
【請求項２】
前記許可制御エンティティ（１１１）が、前記ユーザ装置（１０）にサービスを提供するために必要な前記セルの前記リソースが利用可能であるかどうかを決定するステップと、
該リソースが利用可能である場合に、該許可制御エンティティ（１１１）が、前記ユーザ装置（１０）に該リソースを割り当てるステップと
をさらに含む、請求項１に記載の方法。
【請求項３】
前記ユーザ装置（１０）は、最初はアイドルモードであり、該ユーザ装置（１０）は、前記セルとの接続を確立するために、前記許可制御エンティティ（１１１）にレシーバ性能を示す前記データを送信する、請求項１または２に記載の方法。
【請求項４】
前記ユーザ装置（１０）は、最初は第１のセルにおける接続モードであり、該ユーザ装置（１０）は、第２のセルに対して接続をハンドオーバーするために、前記許可制御エンティティ（１１１）にレシーバ性能を示す前記データを送信する、請求項１または２に記載の方法。
【請求項５】
前記ユーザ装置（１０）は、最初は前記セルにおける接続モードであり、該ユーザ装置（１０）は、該ユーザ装置（１０）の状態遷移を実行するために、前記許可制御エンティティ（１１１）にレシーバ性能を示す前記データを送信する、請求項１または２に記載の方法。
【請求項６】
予備ステップを含み、該予備ステップの間に、前記許可制御エンティティ（１１１）は、前記ユーザ装置（１０）にメッセージを送信し、該メッセージは、該許可制御に必要なタイプのレシーバ性能データを定義する、請求項１〜５のいずれか一項に記載の方法。
【請求項７】
前記許可制御エンティティは、ＵＭＴＳネットワークのｎｏｄｅ  Ｂ、Ｃｏｎｔｒｏｌｌｉｎｇ  ＲＮＣ（ＣＲＮＣ）またはＳｅｒｖｉｎｇ  Ｒａｄｉｏ  Ｎｅｔｗｏｒｋ  Ｃｏｎｔｒｏｌｌｅｒ（ＳＲＮＣ）である、請求項１〜６のいずれか一項に記載の方法。
【請求項８】
前記レシーバ性能を示す前記データは、
前記ユーザ装置によって必要とされるキャリア干渉（Ｃ／Ｉ）と、
該ユーザ装置によって必要とされる、セルのパイロットチャネルの帯域において電力密度で分けられたチップ当たり受信されたエネルギー（Ｅｃ／Ｎｏ）と、
該ユーザ装置によって必要とされる、セルのパイロットチャネルの帯域において電力密度で分けられたビット当たり受信されたエネルギー（Ｅｂ／Ｎｏ）と
のパラメータのうちの少なくとも1つを含み、
該パラメータは、予め決定されたＢｌｏｃｋ  Ｒａｔｅ  Ｅｒｒｏｒ（ＢＥＲ）、Ｔｒａｎｓｍｉｓｓｉｏｎ  Ｔｉｍｅ  Ｉｎｔｅｒｖａｌ（ＴＴＩ）当たりビット数およびデータレートのために定義されている、請求項１〜７のいずれか一項に記載の方法。
【請求項９】
前記レシーバ性能を示す前記データは、レシーバカテゴリを含み、該カテゴリは、所定のレシーバ性能を定義し、前記方法は、
前記許可制御エンティティ（１１１）が、前記ユーザ装置（１０）によって送信された該レシーバカテゴリに関連するレシーバ性能を決定するステップ
を含む、請求項１〜８のいずれか一項に記載の方法。
【請求項１０】
前記レシーバ性能を示す前記データは、前記ユーザ装置のアンテナの数、アンテナ間の距離、アンテナ間の結合、ただ１つのアンテナを有する基準ユーザ装置と比較した利得を含む、請求項１〜９のいずれか一項に記載の方法。
【請求項１１】
前記レシーバ性能を示す前記データは、
前記ユーザ装置に実装されたレシーバアルゴリズムのタイプと、
所定のＢｉｔ  Ｅｒｒｏｒ  Ｒａｔｅ（ＢＥＲ）とＢＬｏｃｋ  Ｅｒｒｏｒ  Ｒａｔｅ（ＢＬＥＲ）で基準レシーバと比較した利得と、
Ｃｈａｎｎｅｌ  Ｑｕａｌｉｔｙ  Ｉｎｄｉｃａｔｏｒ（ＣＱＩ）と
のパラメータのうちの少なくとも１つを含む、請求項１〜１０のいずれか一項に記載の方法。
【請求項１２】
前記レシーバ性能を示す前記データは、
Ｍｅｄｉｕｍ  ＡｃｃｅｓｓＣｏｎｔｒｏｌ（ＭＡＣ）アドレス、Ｉｎｔｅｒｎａｔｉｏｎａｌ  Ｍｏｂｉｌｅ  Ｅｑｕｉｐｍｅｎｔ  Ｉｄｅｎｔｉｔｙ（ＩＭＥＩ）、またはＩｎｔｅｒｎａｔｉｏｎａｌ  Ｍｏｂｉｌｅ  Ｅｑｕｉｐｍｅｎｔ  Ｉｄｅｎｔｉｔｙ（ＩＭＥＩ−ＳＶ）などのユーザ装置（１０）を確認するパラメータと、
該ユーザ装置のモデルなどの該ユーザ装置のタイプを示すパラメータと
のパラメータのうちの少なくとも１つを含み、前記方法は、
該許可制御エンティティ（１１１）が、該ユーザ装置（１０）によって送信された該パラメータに関連するレシーバ性能を決定するステップ
をさらに含む、請求項１〜１１のいずれか一項に記載の方法。
【請求項１３】
セルラーネットワーク（１００、２００)において許可制御手順を実行するように適合された許可制御エンティティ（１１１）であって、該許可制御エンティティは、
該許可制御エンティティ（１１１）が、該セルラーネットワーク（１００、２００）における所定のセルに位置する該ユーザ装置（１０）から送信されたデータを受信するステップであって、該データは、該ユーザ装置（１０）のレシーバ性能を示す、ステップと、
該許可制御エンティティ（１１１）が、該ユーザ装置（１０）の該レシーバ性能にしたがって、該ユーザ装置（１０）にサービスを提供するために必要な該セルのリソースを決定するステップと
を実行するようにプログラムされており、
該許可制御エンティティ（１１１）は、該レシーバ性能を示す該データと共に、または該データに加えて要求メッセージを受信し、該要求メッセージは、無線リソース制御（ＲＲＣ）接続要求メッセージ、セルアップデートメッセージ、測定リポートメッセージおよび初期直接伝送メッセージのうちの少なくとも１つである、許可制御エンティティ（１１１）。
【請求項１４】
セルラーネットワーク（１１０、２００）の所定のセルに位置するユーザ装置（１０）の許可制御を行う方法であって、
前記ユーザ装置（１０）のレシーバ性能を示す追加的なデータと共に、および／または該データを含む、要求メッセージを該セルラーネットワークの許可管理エンティティ（１１１）に送信するステップ
を含み、
該メッセージは、無線リソース制御（ＲＲＣ）接続要求メッセージ、セルアップデートメッセージ、測定リポートメッセージおよび初期直接伝送メッセージのうちの少なくとも１つである、方法。
【請求項１５】
前記レシーバ性能は、
前記ユーザ装置によって必要とされるキャリア干渉（Ｃ／Ｉ）と、該ユーザ装置によって必要とされる、セルのパイロットチャネルの帯域において電力密度で分けられたチップ当たり受信されたエネルギー（Ｅｃ／Ｎｏ）と、該ユーザ装置によって必要とされる、セルのパイロットチャネルの帯域において電力密度で分けられたビット当たり受信されたエネルギー（Ｅｂ／Ｎｏ）とのうちの少なくとも１つであって、該パラメータは、予め決定されたＢｌｏｃｋ  Ｅｒｒｏｒ  Ｒａｔｅ（ＢＥＲ）、Ｔｒａｎｓｍｉｓｓｉｏｎ  Ｔｉｍｅ  Ｉｎｔｅｒｖａｌ（ＴＴＩ）当たりビット数およびデータレート、Ｃｈａｎｎｅｌ  Ｑｕａｌｉｔｙ  Ｉｎｄｉｃａｔｏｒ（ＣＱＩ）のために定義されている、少なくとも１つと、
前記ユーザ装置のアンテナの総数、アンテナ間の距離、アンテナ間の結合、ただ１つのアンテナを有する基準ユーザ装置と比較した利得のうちの少なくとも１つと、
所定のレシーバ性能を定義するレシーバカテゴリ、前記ユーザ装置に実装されたレシーバアルゴリズムのタイプ、所定のＢｉｔ  Ｅｒｒｏｒ  Ｒａｔｅ（ＢＥＲ）とＢＬｏｃｋ  Ｅｒｒｏｒ  Ｒａｔｅ（ＢＬＥＲ）で基準レシーバと比較した利得のうちの少なくとも１つと、
Ｍｅｄｉｕｍ  ＡｃｃｅｓｓＣｏｎｔｒｏｌ（ＭＡＣ）アドレス、Ｉｎｔｅｒｎａｔｉｏｎａｌ  Ｍｏｂｉｌｅ  Ｅｑｕｉｐｍｅｎｔ  Ｉｄｅｎｔｉｔｙ（ＩＭＥＩ）、Ｉｎｔｅｒｎａｔｉｏｎａｌ  Ｍｏｂｉｌｅ  Ｅｑｕｉｐｍｅｎｔ  Ｉｄｅｎｔｉｔｙ（ＩＭＥＩ−ＳＶ）および該ユーザ装置のモデルのうちの少なくとも１つと
のうちの少なくとも１つと関係する、請求項１４に記載の方法。